(57)【要約】【課題】大事な録画を失敗しないための試し録り録画を、面倒な操作の必要なく、確実かつ短時間に行って終了する。【解決手段】マイコン１２は、リモコン２０の「試し録り」ボタン２０ａが操作されると、すでに設定されているチャンネルの情報を例えば２０秒間だけ録画媒体（例えば、ＨＤ）に録画し、録画終了後に再生し、再生終了後に録画した情報を録画媒体（ＨＤ）から消去する一連の処理を実行する。このとき、録画情報の再生中に、録画に関する設定項目（録画チャンネル番号、録画モード、録画メディア、録画フォーマット、録画可能時間、及び録画音声等）を再生中のモニタ画面上に表示する。【選択図】図１
2009147478.tif 000002
【特許請求の範囲】
【請求項１】
録画媒体に情報を録画する情報録画装置において、
試し録画を指示する指示手段と、
この指示手段から試し録画が指示されると、設定されているチャンネルの情報を所定時間だけ前記録画媒体に録画し、録画終了後に再生し、再生終了後に録画した情報を前記録画媒体から消去する一連の処理を実行する試し録画制御手段とを備えたことを特徴とする情報録画装置。
【請求項２】
請求項１に記載の情報録画装置において、
前記試し録画制御手段は、前記録画情報の再生中、録画に関する設定項目を再生中のモニタ画面上に表示することを特徴とする情報録画装置。
【請求項３】
請求項２に記載の情報処理装置において、
前記設定項目は、録画チャンネル番号、録画モード、録画メディア、録画フォーマット、録画可能時間、及び録画音声の少なくとも１つ以上の項目を含むことを特徴とする情報録画装置。
【請求項４】
請求項１ないし請求項３のいずれか１項に記載の情報録画装置において、
ＨＤＤ及びＤＶＤドライブを搭載しており、
前記ＤＶＤドライブに書き換え不可のＤＶＤが装填されている状態において、前記書き換え不可のＤＶＤに対して前記指示手段から試し録画が指示されると、前記試し録画制御手段は、ＨＤに対して試し録画処理を実行することを特徴とする情報録画装置。
【請求項５】
請求項１ないし請求項４のいずれか１項に記載の情報録画装置において、
タイマー録画予約が複数設定されている場合には、その中から一つのタイマー録画予約を選択する選択手段を備え、
この選択手段によって一つのタイマー録画予約を選択後、前記指示手段から試し録画が指示されると、前記試し録画制御手段は、選択されているタイマー録画予約によって設定されているチャンネルの情報について前記一連の処理を実行することを特徴とする情報録画装置。
【請求項６】
請求項５に記載の情報録画装置において、
前記設定項目には、タイマー録画の開始時刻と終了時刻とをさらに含むことを特徴とする情報録画装置。
【発明の詳細な説明】
【技術分野】
【０００１】
本発明は、録画媒体に情報を録画する情報録画装置に関する。
【背景技術】
【０００２】
ＤＶＤ（Ｄｉｇｉｔａｌ Ｖｅｒｓａｔｉｌｅ Ｄｉｓｋ）レコーダやＨＤ（Ｈａｒｄ Ｄｉｓｋ）レコーダ等の情報録画装置は、一般にＧコードを入力することによって簡単にタイマー録画予約ができるようになっているが、この他にも、ユーザの利便性を考慮した種々の録画予約機能が提案されている（例えば、特許文献１，２等参照）。
【０００３】
例えば、特許文献１には、ワンタッチ予約入力ボタンによって、現在受信中の同じ番組の録画予約を行う技術が開示されている。また、特許文献２には、ワンタッチレコーディングキーとシフトキーとによって、録画時間と録画開始時刻とを設定する技術が開示されている。
【特許文献１】特開２０００−１８４２９９号公報
【特許文献２】特開２００７−１４３０４３号公報
【発明の開示】
【発明が解決しようとする課題】
【０００４】
しかし、このようにして録画予約を行ったとしても、その録画予約の確認は、モニタ画面上にその録画チャンネルや番組名、放送時間（録画開始時刻及び終了時刻）、録画モードなどが表示されるので、それを目視により確認することによってのみ行っている。
【０００５】
ところで、例えばテレビを購入時に、受信チャンネルの設定をユーザ自身が行ったような場合には、そのチャンネルについては、例えばＧコードを入力しても録画できない場合がある。そのため、モニタ画面上では自分の設定したチャンネルと番組名とが表示されているにも係わらず、タイマー録画した番組を視聴しようとしたときに、全く別のチャンネルの番組が録画されていたり、あるいはノイズだけで全く録画されていなかったりして、録画に失敗してしまうといった録画ミスが発生する可能性があった。
【０００６】
同様な録画ミスは、タイマー録画予約の場合だけでなく、手動操作で通常録画を行う場合も起こり得る可能性がある。すなわち、ユーザが、現在視聴中の番組を録画しようとして、情報録画装置の電源をオンし、録画ボタンを操作して録画を開始する場合があるが、このとき、情報録画装置側のチャンネルが現在視聴中のテレビジョン受信装置のチャンネルと異なっている場合があり、ユーザはそれに気付かずにそのまま録画ボタンを押してしまう場合がある。この場合にも上記と同様に、録画したはずの番組とは全く別のチャンネルの番組が録画されてしまうといった録画ミスが発生する。
【０００７】
従って、ユーザは、このような録画ミスを無くすため、例えば視聴中の番組を録画する通常録画の場合、リモコンの録画ボタンを操作して試し録り用の録画を開始し、少しの間だけ録画すると停止ボタンを操作して録画を停止し、次に試し録りした番組を選択して再生ボタンを操作し、その再生画面を見ながら本当に自分の録りたいチャンネルの番組が録画されているかを確認する、といった操作を行っている。そして、実際に録画されていることを確認すると、再び停止ボタンを操作し、引き続いて録画ボタンを操作することで、録画したい番組の実際の録画を開始する、といった操作を行っていた。
【０００８】
この場合、例え僅かな時間分であっても試し録りの画像が残るため、これを気にするユーザは、試し録りで録画した番組の内容を確認して停止ボタンを操作した後、試し録りした番組を例えばメニュー画面から選択して消去し、その後、録画ボタンを操作して録画したい番組の実際の録画を開始する、といった操作を行っていた。
【０００９】
すなわち、従来の情報録画装置では、上記のような録画内容の確認のための試し録りを自動で行える機能が搭載されていないので、試し録りは全てユーザの手動操作となっていた。そのため、試し録りの操作が面倒であるとともに、試し録りに時間がかかってしまい、録画したい番組の頭の部分が長時間に渡って切れてしまうといった問題があった。特に、通常録画の場合は、現在視聴中の番組を録画したい場合が多いため、そのような状況での試し録りは極力短時間で終了させることが好ましい。
【００１０】
本発明はかかる問題点を解決すべく創案されたもので、その目的は、大事な録画を失敗しないための試し録り録画を、面倒な操作の必要なく、確実かつ短時間に行って終了することのできる試し録り機能を搭載した情報録画装置を提供することにある。
【課題を解決するための手段】
【００１１】
上記課題を解決するため、本発明の情報録画装置は、録画媒体に情報を録画する情報録画装置であって、試し録画を指示する指示手段と、この指示手段から試し録画が指示されると、設定されているチャンネルの情報を所定時間だけ前記録画媒体に録画し、録画終了後に再生し、再生終了後に録画した情報を前記録画媒体から消去する一連の処理を実行する試し録画制御手段とを備えたことを特徴としている。
【００１２】
上記構成によれば、ユーザは、例えばリモコン等に設けられた指示手段である「試し録り」ボタンを操作するだけで、後は装置本体側が全て自動で録画、再生、消去を行ってくれるので、ユーザは、モニタ画面に表示される再生映像を目視により確認するだけで、これから録画しようとする番組が本当に録画されるか否かを実際の録画画像を見ながら確認することが可能となる。
【００１３】
この場合、前記試し録画制御手段は、前記録画情報の再生中、録画に関する設定項目を再生中のモニタ画面上に表示するように構成してもよい。設定項目としては、録画チャンネル番号、録画モード、録画メディア、録画フォーマット、録画可能時間、及び録画音声の少なくとも１つ以上の項目を含むことが好ましい。
【００１４】
このように、試し録画情報の再生中に、その録画に関する設定項目をモニタ画面上に合わせて表示することで、ユーザは、再生映像による番組内容の確認だけでなく、録画チャンネル番号、録画モード、録画メディア、録画フォーマット、録画可能時間、及び録画音声等の設定項目についても目視により確認することが可能となり、大事な番組の録画の失敗をより確実に防止することが可能となる。
【００１５】
ここで、例えばハードディスク（ＨＤ）内蔵型のＤＶＤレコーダ等のように、複数の録画媒体を搭載可能な情報録画装置では、ＤＶＤドライブに書き換え不可のＤＶＤが装填されている状態において、前記書き換え不可のＤＶＤに対して前記指示手段から試し録画が指示されると、前記試し録画制御手段は、書き換え不可のＤＶＤではなく、録画と消去か可能なＨＤに対して試し録画処理を実行するように構成してもよい。ただし、この場合、モニタ画面に表示する録画メディアは、ＨＤではなくＤＶＤとしてもよい。これにより、書き換え不可のＤＶＤに不要な試し録画情報が残ってしまうといった不具合を解消することができる。
【００１６】
また、タイマー録画予約の場合において、タイマー録画予約が複数設定されている場合には、その中から一つのタイマー録画予約を選択する選択手段を備え、この選択手段によって任意の一つのタイマー録画予約を選択後、前記指示手段から試し録画が指示されると、前記試し録画制御手段は、選択されているタイマー録画予約によって設定されているチャンネルの情報について前記一連の処理を実行するように構成すればよい。これにより、複数のタイマー録画予約がある場合において、任意のタイマー録画予約の試し録りを個別に行うことが可能となる。さらに、タイマー録画予約の試し録りの場合には、モニタ画面に表示する設定項目として、タイマー録画の開始時刻と終了時刻とをさらに表示するようにしてもよい。
【発明の効果】
【００１７】
本発明によれば、ユーザは、例えばリモコン等に設けられた「試し録り」ボタンを操作するだけで、後は装置本体側が全て自動で録画、再生、消去を行ってくれるので、ユーザは、モニタ画面に表示される再生映像を目視により確認するだけで、これから録画しようとする番組が本当に録画されるか否かを実際の録画映像を見ながら確認することができる。これにより、大事な録画を失敗しないように事前にチェックすることができる。さらに、試し録りした部分が最終的には自動的に消去されるので、録画媒体には不要な試し録り録画部分が残ることはなく、所望する番組のみが録画されることになる。
【発明を実施するための最良の形態】
【００１８】
以下、本発明の実施の形態について、図面を参照して説明する。
【００１９】
図１は、本発明の情報録画装置一実施形態であるＨＤ内蔵型ＤＶＤレコーダの機能ブロック図である。
【００２０】
本実施形態のＨＤ内蔵型ＤＶＤレコーダ１は、アンテナ１７により受信されたアナログ放送信号やデジタル放送信号等のテレビ放送から選択されたチャンネルの番組放送を受信するチューナ２と、受信した番組の映像データの信号を処理する信号処理回路３と、信号処理後の映像データをＤＶＤ（ＤｉｇｉｔａｌＶｅｒｓａｔｉｌｅ Ｄｉｓｋ）等の光ディスクに記録再生するＤＶＤ部５と、信号処理後の映像データをハードディスク（ＨＤ）に記録再生するＨＤＤ（ＨａｒｄＤｉｓｋ Ｄｒｉｖｅ）部６と、これらＤＶＤ部５及びＨＤＤ部６の記録再生を制御するストレージ制御部７と、文字情報やキャラクタ画像情報を映像信号に重畳してモニタ装置３０の画面に表示するＯＳＤ（Ｏｎ−ＳｃｒｅｅｎＣｈａｒａｃｔｅｒ Ｄｉｓｐｌａｙ）回路８と、音声信号を増幅してスピーカ４０を駆動する音声出力回路９と、本装置のシステム全体を制御するマイコン１２と、各種データを記憶するメモリ部（ＥＥＰＲＯＭやフラッシュメモリ等の不揮発性メモリ）１３と、現在時刻を計時する時計機能を有するクロック回路１４と、リモコン２０から送信された赤外線信号のリモコン信号を受信して、所定の電気信号に変換するリモコン受信部１５と、後述する所定時間を計測するタイマー回路１６とを備えている。また、本実施形態では、リモコン２０に、試し録画を指示するための「試し録り」ボタン２０ａが設けられている。
【００２１】
マイコン１２は、リモコン２０の「試し録り」ボタン２０ａが操作され、その操作信号をリモコン受信部１５を介して受信すると、録画設定されているチャンネルの情報を所定時間だけ録画媒体である例えばＤＶＤに録画し、録画終了後に再生し、再生終了後に録画した情報をＤＶＤから消去する一連の試し録画処理を実行するようになっている。なお、このような試し録画処理を実行するためのプログラムはメモリ部１３に格納されており、マイコン１２は、試し録画処理の実行時には、メモリ部１３からこのプログラムを読み出し、マイコン内部の図示しないメモリ上に展開して実行する。
【００２２】
ここで、マイコン１２による試し録画処理動作について、通常録画の場合とタイマー録画予約の場合に分けて説明する。
【００２３】
（１）通常録画の場合
図２は、通常録画の場合に実行される試し録画処理動作を説明するためのフローチャートである。以下、この図２に示すフローチャートを参照して、通常録画の場合の試し録画処理動作を説明する。
【００２４】
通常録画では、ユーザが例えばリモコン２０の図示しない録画ボタンを操作して、モニタ装置３０に表示されている受信チャンネルの番組をそのまま録画することが多い。このとき、本実施形態では、いきなり録画ボタンを操作するのではなく、録画の失敗を無くすため、まず試し録りを行うために、ユーザは、リモコン２０の「試し録り」ボタン２０ａを操作する。
【００２５】
マイコン１２は、リモコン２０の「試し録り」ボタン２０ａが操作されたか否かを常に監視しており（ステップＳ１）、「試し録り」ボタン２０ａが操作された場合には、装填されている録画媒体（ＤＶＤ等）若しくは内蔵の録画媒体（ＨＤ等）に対して試し録画処理を実行する。
【００２６】
すなわち、マイコン１２は、その時点で受信チャンネルとして設定されているチャンネルの情報の試し録画を、その時点で録画媒体として選択されている例えばＤＶＤ部５のＤＶＤ−ＲＷに対して開始するとともに、タイマー回路１６を起動して所定時間（例えば、１０〜２０秒程度）の計測を開始する（ステップＳ２）。そして、試し録画が所定時間行われたかを監視し（ステップＳ３）、所定時間だけ試し録画が行われると（ステップＳ３でＹｅｓと判断されると）、マイコン１２は、その時点で試し録画を停止し、試し録画部分の再生を開始する（ステップＳ４）。このとき、マイコン１２は、この試し録画に関する設定項目を再生中のモニタ画面に合わせて表示する（ステップＳ５）。設定項目としては、録画チャンネル番号、録画モード、録画メディア、録画フォーマット、録画可能時間、及び録画音声の少なくとも１つ以上の項目を含むことが好ましい。
【００２７】
図３は、設定項目の表示例を示している。この例では、録画媒体として「ＤＶＤ−ＲＷ」、録画モードとして「ＸＰモード」、録画フォーマットとして「ＶＲモード」、録画チャンネルとして「ＢＳ１０１ｃｈ」、録画可能時間として「残量：２時間３０分」、チャプターの入力条件として「１０分毎」、録画音声として「副音声」、が表示されている。ただし、録画音声のところは、現在録画中の音声を表示することになるが、ユーザが個別に設定している場合には、その設定音声も合わせて表示するようにすればよい。例えば、ユーザの録画する番組が二カ国語放送の映画であり、ユーザが主音声で録音するように設定していた場合には、録画音声として現在録音中の「副音声」の横に、例えば「ユーザ設定／主音声」といった具合に、ユーザが設定している録画音声を合わせて表示すればよい。
【００２８】
このように、本実施形態の試し録画処理では、試し録画した番組の再生中に、録画設定項目も合わせて表示するので、ユーザは、録画番組の再生映像とともに設定項目についても目視により確認することが可能となり、大事な番組の録画の失敗をより確実に防止することが可能となる。
【００２９】
この後、再生を終了すると（ステップＳ６でＹｅｓと判断されると）、マイコン１２は、引き続いて試し録画した情報を録画媒体（この例ではＤＶＤ−ＲＷ）から消去して（ステップＳ７）、試し録画処理を終了する。
【００３０】
この後、図示は省略しているが、ユーザがリモコン２０を操作して設定項目の再入力等を行わない場合には、ステップＳ７での消去後に、引き続いて試し録画した番組の通常録画を開始してもよい。このようにすれば、ユーザは、「試し録り」ボタン２０ａを操作するだけで、試し録画から本来の録画（通常録画）までを自動で行うことができるので、より早く通常録画を開始することが可能となる。
【００３１】
（２）タイマー録画予約の場合
図４は、タイマー録画予約の場合に実行される試し録画処理動作を説明するためのフローチャートである。以下、この図４に示すフローチャートを参照して、タイマー録画予約の場合の試し録画処理動作を説明する。
【００３２】
タイマー録画予約では、ユーザはリモコン２０を操作してメニュー画面を表示し、その中のタイマー録画予約を選択してタイマー録画予約の一覧を表示し（ステップＳ１１）、その中から試し録画を行いたい予約番組を選択する（ステップＳ１２）。この状態において、ユーザがリモコン２０の「試し録り」ボタン２０ａを操作すると（ステップＳ１３）、マイコン１２は、装填されている録画媒体（ＤＶＤ等）若しくは内蔵の録画媒体（ＨＤ等）に対して試し録画処理を実行する。
【００３３】
すなわち、マイコン１２は、選択されたタイマー録画予約に設定されているチャンネルを受信するようにチューナ２を調整し、受信チャンネルの情報の試し録画を、タイマー録画予約で設定されている録画媒体（例えば、ＤＶＤ部５のＤＶＤ−ＲＷ）に対して開始するとともに、タイマー回路１６を起動して所定時間（例えば、１０〜２０秒程度）の計測を開始する（ステップＳ１４）。そして、試し録画が所定時間行われたかを監視し（ステップＳ１５）、所定時間だけ試し録画が行われると（ステップＳ１５でＹｅｓと判断されると）、マイコン１２は、その時点で試し録画を停止し、試し録画部分の再生を開始する（ステップＳ１６）。このとき、マイコン１２は、この試し録画に関する設定項目を再生中のモニタ画面に合わせて表示する（ステップＳ１７）。設定項目としては、録画チャンネル番号、録画モード、録画メディア、録画フォーマット、録画可能時間、録画音声、録画開始時刻及び録画終了時刻の少なくとも１つ以上の項目を含むことが好ましい。
【００３４】
図５は、設定項目の表示例を示している。この例では、録画媒体として「ＤＶＤ−ＲＷ」、録画モードとして「ＸＰモード」、録画フォーマットとして「ＶＲモード」、録画チャンネルとして「ＢＳ１０１ｃｈ」、録画可能時間として「残量：２時間３０分」、チャプターの入力条件として「１０分毎」、録画音声として「副音声」、タイマー録画時間として「開始：ＰＭ７：００／終了：ＰＭ８：００」が表示されている。ただし、録画音声については、上記（１）の場合と同様、ユーザが個別に設定している場合には、その設定音声も合わせて表示するようにすればよい。
【００３５】
このように、本実施形態の試し録画処理では、試し録画した番組の再生中に、録画設定項目も合わせて表示するので、ユーザは、録画番組の再生映像とともに設定項目についても目視により確認することが可能となり、大事な番組の録画の失敗をより確実に防止することが可能となる。
【００３６】
この後、再生を終了すると（ステップＳ１８でＹｅｓと判断されると）、マイコン１２は、引き続いて試し録画した情報を録画媒体（この例ではＤＶＤ−ＲＷ）から消去して（ステップＳ１９）、試し録画処理を終了する。この後、何ら別の操作（例えば、任意の録画済み番組の再生操作等）されることなく一定時間（例えば５分等）が経過すると、マイコン１２は、本レコーダの電源をオフにする。
【００３７】
なお、上記（１），（２）で説明した試し録画処理では、録画媒体として書き換え可能なＤＶＤ−ＲＷを例示しているが、書き換え不可のＤＶＤ−Ｒ等に番組を録画する場合の試し録画では、ＤＶＤ−ＲではなくＨＤに行うようにしてもよい。これにより、試し録画の情報がＤＶＤ−Ｒに残ってしまうといった不具合を防止することができる。この場合、設定項目の表示に関しては、録画媒体として予め選択されている「ＤＶＤ−Ｒ」と表示しておけばよい。
【００３８】
また、装填されているＤＶＤが書き換え可能なＤＶＤ−ＲＷであるのか、書き換え不可のＤＶＤ−Ｒ等であるのかの判断は、ＤＶＤを装置本体に装填したときに、または録画媒体として装填されているＤＶＤが選択されたときに、マイコン１２がＤＶＤの制御情報を読み込むので、その読み込んだ制御情報に含まれるＤＶＤの種類情報に基づいて判断することができる。
【図面の簡単な説明】
【００３９】
【図１】本発明の情報録画装置一実施形態であるＨＤ内蔵型ＤＶＤレコーダの機能ブロック図である。
【図２】通常録画の場合に実行される試し録画処理動作を説明するためのフローチャートである。
【図３】設定項目の表示例を示す説明図である。
【図４】タイマー録画予約の場合に実行される試し録画処理動作を説明するためのフローチャートである。
【図５】設定項目の表示例を示す説明図である。
【符号の説明】
【００４０】
１  ＨＤ内蔵型ＤＶＤレコーダ
２  チューナ
３  信号処理回路
５  ＤＶＤ部
６  ＨＤＤ部
７  ストレージ制御部
３  ＯＳＤ回路
９  音声出力回路
１２  マイコン
１３  メモリ部
１４  クロック回路
１５  リモコン受信部
１６  タイマー回路
２０  リモコン
２０ａ  「試し録り」ボタン
３０  モニタ装置
４０  スピーカ
【図１】
2009147478.tif 000003
【図２】
2009147478.tif 000004
【図３】
2009147478.tif 000005
【図４】
2009147478.tif 000006
【図５】
2009147478.tif 000007